(57)【要約】  本発明は、端末スクリーンの状態を制御する方法、装置、電子機器、プログラム及び記録媒体に関し、前記端末は、内部に前記端末の表面の金属構造体に接続される第１の人体通信ユニットを備え、前記方法は、端末スクリーンのリアルタイム状態を第１の状態として確定するステップと、前記第１の状態に対応する第１の電磁信号を生成し、前記第１の人体通信ユニットを介して前記金属構造体に前記第１の電磁信号を送信することにより、前記第１電磁信号がユーザーの皮膚を介して伝送されるようにするステップと、関連するウェアラブル機器が前記第１の電磁信号によって返信される第２の電磁信号を受信するステップと、前記第２の電磁信号に前記端末スクリーンに対する状態スイッチング情報が含まれる場合、前記リアルタイム状態を前記第１の状態から第２の状態にスイッチングするステップと、を含む。【選択図】図１
2017515434.tif 000002
【特許請求の範囲】
【請求項１】
内部に第１の人体通信ユニットを備える端末のスクリーンの状態を制御する方法であって、前記第１の人体通信ユニットは前記端末の表面の金属構造体に接続され、
端末スクリーンのリアルタイム状態を第１の状態として確定するステップと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるようにするステップと、
前記第１の人体通信ユニットは前記金属構造体を介して、関連するウェアラブル機器が前記第１の電磁信号によって返信される第２の電磁信号を受信するステップと、
前記第２の電磁信号に前記端末スクリーンの状態スイッチング情報が含まれる場合、前記リアルタイム状態を前記第１の状態から第２の状態にスイッチングするステップと、を含むことを特徴とする端末スクリーンの状態を制御する方法。
【請求項２】
前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれることを特徴とする請求項１に記載の端末スクリーンの状態を制御する方法。
【請求項３】
前記第２の電磁信号に含まれる身分情報を抽出し、前記身分情報を検証するステップと、
検証に成功すると、前記第２の電磁信号が前記関連するウェアラブル機器からのものであると判定し、検証に成功しなかった場合は、前記第２の電磁信号を廃棄するステップと、をさらに含むことを特徴とする請求項１に記載の端末スクリーンの状態を制御する方法。
【請求項４】
ウェアラブル機器内の第２の人体通信ユニットは、前記ウェアラブル機器の表面の金属構造体を介して、端末内の第１の人体通信ユニットが前記端末の表面の金属構造体に送信する第１の電磁信号を受信するステップと、
第１の電磁信号が相応する端末スクリーンのリアルタイム状態を第１の状態であると示す場合、前記端末スクリーンに対する状態スイッチング情報を含む第２の電磁信号を生成するステップと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるステップと、を含むことを特徴とする端末スクリーンの状態を制御する方法。
【請求項５】
前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれることを特徴とする請求項４に記載の端末スクリーンの状態を制御する方法。
【請求項６】
前記第２の電磁信号は、前記ウェアラブル機器に対応する身分情報をさらに含むことを特徴とする請求項４に記載の端末スクリーンの状態を制御する方法。
【請求項７】
内部に第１の人体通信ユニットを備える端末のスクリーンの状態を制御する装置であって、前記第１の人体通信ユニットは前記端末の表面の金属構造体に接続され、
端末スクリーンのリアルタイム状態を第１の状態として確定するように構成される確定ユニットと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるように構成される送信ユニットと、
前記第１の人体通信ユニットは前記金属構造体を介して、関連するウェアラブル機器が前記第１の電磁信号によって返信される第２の電磁信号を受信するように構成される受信ユニットと、
前記第２の電磁信号に前記端末スクリーンの状態スイッチング情報が含まれる場合、前記リアルタイム状態を前記第１の状態から第２の状態にスイッチングするように構成されるスイッチングユニットと、を備えることを特徴とする端末スクリーンの状態を制御する装置。
【請求項８】
前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれることを特徴とする請求項７に記載の端末スクリーンの状態を制御する装置。
【請求項９】
前記第２の電磁信号に含まれる身分情報を抽出し、前記身分情報を検証するように構成される抽出ユニットと、
検証に成功すると、前記第２の電磁信号が前記関連するウェアラブル機器からのものであると判定し、検証に成功しなかった場合は、前記第２の電磁信号を廃棄するように構成される処理ユニットと、をさらに備えることを特徴とする請求項７に記載の端末スクリーンの状態を制御する装置。
【請求項１０】
ウェアラブル機器内の第２の人体通信ユニットは、前記ウェアラブル機器の表面の金属構造体を介して、端末内の第１の人体通信ユニットが前記端末表面の金属構造体に送信する第１の電磁信号を受信するように構成される受信ユニットと、
第１の電磁信号が相応する端末スクリーンのリアルタイム状態を第１の状態であると示す場合、前記端末スクリーンに対する状態スイッチング情報を含む第２の電磁信号を生成するように構成される生成ユニットと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるように構成される送信ユニットと、を備えることを特徴とする端末スクリーンの状態を制御する装置。
【請求項１１】
前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれることを特徴とする請求項１０に記載の端末スクリーンの状態を制御する装置。
【請求項１２】
前記第２の電磁信号は、前記ウェアラブル機器に対応する身分情報をさらに含む特徴とする請求項１０に記載の端末スクリーンの状態を制御する装置。
【請求項１３】
プロセッサーと、
前記プロセッサーによって実行可能な命令を記憶するメモリと、を備え、
前記プロセッサーは、
電子機器スクリーンのリアルタイム状態を第１の状態として確定し、
前記第１の状態に対応する第１の電磁信号を生成し、前記電子機器内の第１の人体通信ユニットを介して前記電子機器の表面の金属構造体に前記第１の電磁信号を送信することにより、前記第１の電磁信号がユーザーの皮膚を介して伝送され、
前記第１の人体通信ユニットは前記金属構造体を介して、関連するウェアラブル機器が前記第１の電磁信号によって返信される第２の電磁信号を受信し、
前記第２の電磁信号に前記スクリーンに対する状態スイッチング情報が含まれる場合、前記リアルタイム状態を第１の状態から第２の状態にスイッチングするように構成されることを特徴とする電子機器。
【請求項１４】
プロセッサーと、
前記プロセッサーによって実行可能な命令を記憶するメモリと、を備え、
前記プロセッサーは、
電子機器内の第２の人体通信ユニットが前記電子機器の表面の金属構造体を介して端末からの第１の電磁信号を受信し、前記第１の電磁信号は、前記端末内の第１の人体通信ユニットを介して前記端末の表面の金属構造体に送信され、
第１の電磁信号が相応する端末スクリーンのリアルタイム状態が第１の状態であると示す場合、前記端末スクリーンに対する状態スイッチング情報を含む第２の電磁信号を生成し、
前記第２の人体通信ユニットを介して接続される金属構造体に前記第２の電磁信号を送信することにより、前記第２の電磁信号がユーザーの皮膚を介して前記第１の人体通信ユニットに伝送されるように構成されることを特徴とする電子機器。
【発明の詳細な説明】
【技術分野】
【０００１】
本発明は、スクリーンロック制御の技術分野に関し、更に詳細には、端末スクリーンの状態を制御する方法及び装置、並びに電子機器に関する。
【背景技術】
【０００２】
ユーザーの不注意によるタッチを防止し、また、端末の省電力などのために、端末スクリーンに対してロック処理を行う必要があり、ユーザーは必要に応じてロック解除の操作を行う。関連技術において、ユーザーは端末の電源ボタンを押して端末スクリーンのロックを実現し、また、ユーザーは端末スクリーンでクリック又はスライディング操作を行って、端末スクリーンのロック解除を実現する。
【発明の概要】
【発明が解決しようとする課題】
【０００３】
本発明は、関連技術に存在する不足点を解決するために、端末スクリーンの状態を制御する方法及び装置、並びに電子機器を提供する。
【課題を解決するための手段】
【０００４】
本発明の第１の態様によれば、端末スクリーンの状態を制御する方法が提供され、前記端末は、内部に前記端末の表面の金属構造体に接続される第１の人体通信ユニットを備え、前記方法は、
端末スクリーンのリアルタイム状態を第１の状態として確定するステップと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるようにするステップと、
前記第１の人体通信ユニットは前記金属構造体を介して、関連するウェアラブル機器が前記第１の電磁信号によって返信される第２の電磁信号を受信するステップと、
前記第２の電磁信号に前記端末スクリーンに対する状態スイッチング情報が含まれる場合、前記リアルタイム状態を前記第１の状態から第２の状態にスイッチングするステップと、を含む。
【０００５】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【０００６】
好ましくは、前記第２の電磁信号に含まれる身分情報を抽出し、前記身分情報を検証するステップと、
検証に成功すると、前記第２の電磁信号が前記関連するウェアラブル機器からのものであると判定し、検証に成功しなかった場合は、前記第２の電磁信号を廃棄するステップと、をさらに含む。
【０００７】
本発明の第２の態様によれば、端末スクリーンの状態を制御する方法が提供され、前記方法は、
ウェアラブル機器内の第２の人体通信ユニットは、前記ウェアラブル機器の表面の金属構造体を介して、端末内の第１の人体通信ユニットが前記端末の表面の金属構造体に送信する第１の電磁信号を受信するステップと、
第１の電磁信号が相応する端末スクリーンのリアルタイム状態を第１の状態であると示す場合、前記端末スクリーンに対する状態スイッチング情報を含む第２の電磁信号を生成するステップと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるステップと、を含む。
【０００８】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【０００９】
好ましくは、前記第２の電磁信号は、前記ウェアラブル機器に対応する身分情報をさらに含む。
【００１０】
本発明の第３の態様によれば、端末スクリーンの状態を制御する装置が提供され、前記端末は、内部に前記端末の表面の金属構造体に接続される第１の人体通信ユニットを備え、前記装置は、
端末スクリーンのリアルタイム状態を第１の状態として確定するように構成される確定ユニットと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるように構成される送信ユニットと、
前記第１の人体通信ユニットは前記金属構造体を介して、関連するウェアラブル機器が前記第１の電磁信号によって返信される第２の電磁信号を受信するように構成される受信ユニットと、
前記第２の電磁信号に前記端末スクリーンの状態スイッチング情報が含まれる場合、前記リアルタイム状態を前記第１の状態から第２の状態にスイッチングするように構成されるスイッチングユニットと、を備える。
【００１１】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００１２】
好ましくは、前記第２の電磁信号に含まれる身分情報を抽出し、前記身分情報を検証するように構成される抽出ユニットと、
検証に成功すると、前記第２の電磁信号が前記関連するウェアラブル機器からのものであると判定し、検証に成功しなかった場合は、前記第２の電磁信号を廃棄するように構成される処理ユニットと、をさらに備える。
【００１３】
本発明の第４の態様によれば、端末スクリーンの状態を制御する装置が提供され、前記装置は、
ウェアラブル機器内の第２の人体通信ユニットは、前記ウェアラブル機器の表面の金属構造体を介して、端末内の第１の人体通信ユニットが前記端末表面の金属構造体に送信する第１の電磁信号を受信するように構成される受信ユニットと、
第１の電磁信号が相応する端末スクリーンのリアルタイム状態を第１の状態であると示す場合、前記端末スクリーンに対する状態スイッチング情報を含む第２の電磁信号を生成するように構成される生成ユニットと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるように構成される送信ユニットと、を備える。
【００１４】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００１５】
好ましくは、前記第２の電磁信号は、前記ウェアラブル機器に対応する身分情報を含んでいる。
【００１６】
本発明の第５の態様によれば、電子機器が提供され、前記電子機器は、
プロセッサーと、
前記プロセッサーによって実行可能な命令を記憶するメモリと、を備え、
前記プロセッサーは、
電子機器スクリーンのリアルタイム状態を第１の状態として確定し、
前記第１の状態に対応する第１の電磁信号を生成し、前記電子機器内の第１の人体通信ユニットを介して前記電子機器の表面の金属構造体に前記第１の電磁信号を送信することにより、前記第１の電磁信号がユーザーの皮膚を介して伝送され、
前記第１の人体通信ユニットは前記金属構造体を介して、関連するウェアラブル機器が前記第１の電磁信号によって返信される第２の電磁信号を受信し、
前記第２の電磁信号に前記スクリーンに対する状態スイッチング情報が含まれる場合、前記リアルタイム状態を第１の状態から第２の状態にスイッチングするように構成される。
【００１７】
本発明の第６の態様によれば、電子機器が提供され、前記電子機器は、
プロセッサーと、
前記プロセッサーによって実行可能な命令を記憶するメモリと、を備え、
前記プロセッサーは、
電子機器内の第２の人体通信ユニットが前記電子機器の表面の金属構造体を介して端末からの第１の電磁信号を受信し、前記第１の電磁信号は、前記端末内の第１の人体通信ユニットを介して前記端末の表面の金属構造体に送信され、
第１の電磁信号が相応する端末スクリーンのリアルタイム状態が第１の状態であると示す場合、前記端末スクリーンに対する状態スイッチング情報を含む第２の電磁信号を生成し、
前記第２の人体通信ユニットを介して接続される金属構造体に前記第２の電磁信号を送信することにより、前記第２の電磁信号がユーザーの皮膚を介して前記第１の人体通信ユニットに伝送されるように構成される。
【発明の効果】
【００１８】
本発明が提供する技術的案によれば、下記のような有益な効果を含むことができる。即ち、
本発明は、端末及びウェアラブル機器の内部にそれぞれ人体通信ユニットをインプラントし、人体通信ユニットを端末及びウェアラブル機器の表面の金属構造体にそれぞれ接続させることで、ユーザーが端末及びウェアラブル機器の金属構造体に接触する時、ユーザーの皮膚を媒体として、端末とウェアラブル機器との間の信号チャンネルを構築し、電磁信号の伝送を基づき、端末スクリーンに対するロック状態制御を実現し、端末スクリーンのロック状態を迅速にスイッチング制御して、セキュリティ性を向上させ、電力消費を減少させることができる。
【００１９】
なお、以上の一般的な記述と、以下の詳細の記述は、ただ例示的なものであって、本発明を限定するものではない。
【図面の簡単な説明】
【００２０】
以下の図面は、明細書に組み入れて本明細書の一部分を構成し、本発明に該当する実施例を例示するとともに、明細書とともに本発明の原理を解釈するように構成される。
【図１】一例示的な実施例に係る端末側の端末スクリーンの状態を制御する方法を示すフローチャートである。
【図２】一例示的な実施例に係るウェアラブル機器側の端末スクリーンの状態を制御する方法を示すフローチャートである。
【図３】一例示的な実施例に係るウェアラブル機器の構造を示す説明図である。
【図４】一例示的な実施例に係るウェアラブル機器が信号伝達を実現することを示す説明図である。
【図５】一例示的な実施例に係る端末の構造を示す説明図である。
【図６】一例示的な実施例に係るウェアラブル機器と端末との間に信号伝達を実現することを示す説明図である。
【図７】一例示的な実施例に係る端末側の端末スクリーンの状態を制御する装置を示すブロック図である。
【図８】一例示的な実施例に係る端末側の他の一つの端末スクリーンの状態を制御する装置を示すブロック図である。
【図９】一例示的な実施例に係るウェアラブル機器側の端末スクリーンの状態を制御する装置を示すブロック図である。
【図１０】一例示的な実施例に係る端末側の端末スクリーンの状態を制御するための装置の構造を示す説明図である。
【図１１】一例示的な実施例に係るウェアラブル機器側の端末スクリーンの状態を制御するための装置の構造を示す説明図である。
【発明を実施するための形態】
【００２１】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２２】
図１は、一例示的な実施例に係る端末側の端末スクリーンの状態を制御する方法を示すフローチャートである。図１に示すように、前記方法は端末に適用され、前記端末内に前記端末の表面の金属構造体に接続される第１の人体通信ユニットが含まれ、前記方法は、以下のようなステップを含んでもよい。
【００２３】
ステップ１０２：端末スクリーンのリアルタイム状態を第１の状態として確定する。
【００２４】
ステップ１０４：前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送される。
【００２５】
本実施例では、第１の電磁信号は、リアルタイム状態に対応する識別子ビットを含んでもよい。例えば、前記識別子ビットが 「０」であれば、リアルタイム状態が第１の状態であることを示し、前記識別子ビットが「１」であれば、リアルタイム状態が第２の状態であることを示す。なお、第１の電磁信号は他の情報をさらに含んでもよい。本発明はこれに対して限定しない。
【００２６】
本実施例において、端末内の第１の人体通信ユニットと端末表面の金属構造体とが接続されるので、第１の人体通信ユニットは定期的に前記金属構造体に第１の電磁信号を送信すると、ユーザーが金属構造体に接触（又はユーザーの皮膚と金属構造体との間の距離が所定の距離よりも小さい又は等しい）する場合、第１の人体通信ユニット、金属構造体及びユーザーの皮膚などの人体部位の間にチャンネルが形成されて、第１の電磁信号がユーザーを経て転送されることができる。
【００２７】
本実施例では、端末表面の金属構造体が前記端末の金属ケースやその一部、金属フレームやその一部、金属アイコン（Logo）などであってもよい。前記金属構造体は、ユーザーが端末を正常的に使用する時、容易にタッチしない部位に設置されて金属構造体に対する不注意によるタッチを防止する。
【００２８】
ステップ１０６：前記第１の人体通信ユニットは前記金属構造体を介して、関連するウェアラブル機器が前記第１の電磁信号によって返信される第２の電磁信号を受信する。
【００２９】
本実施例では、人体を介して電磁信号を送信し、端末内の第１の人体通信ユニットは、ウェアラブル機器が返信される第２の電磁信号を受信して端末のリアルタイム状態に対してスイッチング制御する。
【００３０】
ステップ１０８：前記第２の電磁信号に前記端末スクリーンの状態スイッチング情報が含まれる場合、前記リアルタイム状態を前記第１の状態から第２の状態にスイッチングする。
【００３１】
本実施例では、一例示的な実施形態として、第１の状態がロック状態であり、且つ第２の状態がロック解除状態であり、上記実施形態を介して端末スクリーンに対するロック解除制御を実現する。また、他の一例示的な実施形態として、第１の状態がロック解除状態であり、且つ第２の状態がロック状態であり、上記実施形態を介して端末スクリーンに対するロック制御を実現する。
【００３２】
本実施例では、第１の状態がロック状態であり、且つ第２の状態がロック解除状態である場合、状態スイッチング情報は、ロック解除パスワード及び前記端末に前記リアルタイム状態を第１の状態から第２の状態にスイッチングするように通知する第１の識別子情報を含んでもよい。
【００３３】
又は、第１の状態がロック解除状態であり、且つ第２の状態がロック状態である場合、前記状態スイッチング情報は、前記端末に前記リアルタイム状態を第２の状態から第１の状態にスイッチングするように通知する第２の識別子情報を含んでもよい。
【００３４】
相応的に、図２は、一例示的な実施例に係るウェアラブル機器側の端末スクリーンの状態を制御する方法を示すフローチャートであり、図２に示すように、前記方法は、ウェアラブル機器に適用され、以下のようなステップを含んでもよい。
【００３５】
ステップ２０２：ウェアラブル機器内の第２の人体通信ユニットは、前記ウェアラブル機器の表面の金属構造体を介して、端末内の第１の人体通信ユニットが前記端末の表面の金属構造体に送信する第１の電磁信号を受信する。
【００３６】
本実施例では、ウェアラブル機器がスマートブレスレット、スマートリング、スマートメガネなどであってもよい。本発明は、ウェアラブル機器の形式や構造に対して限定しない。ただし、ユーザーがウェアラブル機器を身に着けた時、前記ウェアラブル機器の表面の金属構造体がユーザーの皮膚に接触することができ、又は所定の距離よりも小さいか、同じ間隔を維持して電磁信号の伝送を確保することができればよい。
【００３７】
ステップ２０４：第１の電磁信号が、相応する端末スクリーンのリアルタイム状態を第１の状態であると示す場合、前記端末スクリーンに対する状態スイッチング情報を含む第２の電磁信号を生成する。
【００３８】
本実施例では、第１の状態がロック状態であり、且つ第２の状態がロック解除状態である場合、状態スイッチング情報は、ロック解除パスワード及び前記端末に前記リアルタイム状態を第１の状態から第２の状態にスイッチングするように通知する第１の識別子情報を含んでもよい。
【００３９】
又は、第１の状態がロック解除状態であり、且つ第２の状態がロック状態である場合、状態スイッチング情報は、前記端末に前記リアルタイム状態を第２の状態から第１の状態にスイッチングするように通知する第２の識別子情報を含んでもよい。
【００４０】
本実施例において、第２の電磁信号はウェアラブル機器と端末との間の関連関係を示す身分情報をさらに含んでもよい。例えば、端末及びウェアラブル機器は、事前にマッチング（ｍａｔｃｈｉｎｇ）操作を介して両者の間の関連関係を確立し、マッチングする過程で前記身分情報を生成するとともに、端末及びウェアラブル機器に保存することができる。例えば、前記身分情報は検証文字列であってもよい。この時、第２の電磁信号を受信する場合、端末はその中の身分情報と自体が保存した身分情報とを比較し、マッチングされると、前記第２の電磁信号が前記関連するウェアラブル機器からのものであると判定し、マッチングされないと、直接廃棄する。
【００４１】
ステップ２０６：前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送される。
【００４２】
前記実施例から分かるように、本発明は、端末及びウェアラブル機器内部にそれぞれ人体通信ユニットをインプラントし、人体通信ユニットを端末及びウェアラブル機器の表面の金属構造体にそれぞれ接続させることで、ユーザーが端末及びウェアラブル機器の金属構造体に接触する時、ユーザーの皮膚を媒体として、端末とウェアラブル機器との間の信号チャンネルを構築し、電磁信号の伝送を基づき、端末スクリーンに対するロック状態制御を実現して、端末スクリーンのロック状態を迅速にスイッチング制御し、セキュリティ性を向上させ、消費電力を低減させることができる。
【００４３】
以下、ウェアラブル機器及び端末の具体的な応用場面に結合して、本発明の技術案を説明する。
【００４４】
ウェアラブル機器
図３は、一例示的な実施例に係るウェアラブル機器の構造を示す説明図である。図３に示すように、本発明のウェアラブル機器は、スマートブレスレット１であってもよい。スマートブレスレット１は人体通信ユニット１１を備え、前記人体通信ユニット１１は、電磁信号を送受信することができ、電磁信号の伝送を確保することができる。また、スマートブレスレット１の表面に金属構造体１２が設けられ、例えば、図３に示される金属構造体１２は金属シートであり、前記金属シートはスマートブレスレット１内部の経路を通じて人体通信ユニット１１に接続される。
【００４５】
図４を参照すると、ユーザーがスマートブレスレット１を手首に着ける場合、金属構造体１２とユーザーの手首の皮膚が互いに接触（又は所定の距離よりも小さいか、又は同じ間隔を維持する）され、「人体通信ユニット１１−金属構造体１２−ユーザー皮膚」の通信経路を形成して電磁信号の伝送を確保する。例えば、人体通信ユニット１１は電磁信号を生成した後、前記電磁信号は以下の方式を介して伝送される。即ち、(1)人体通信ユニット１１が電磁信号を送信した後、前記電磁信号は、スマートブレスレット１内部の経路に沿って金属構造体１２に伝達され、(2)電磁信号は、金属構造体１２を介してユーザーの手首の皮膚に伝送され、皮膚を介して全身、例えば、図４に示される人差し指に伝達される。
【００４６】
端末
図５は、一例示的な実施例に係る端末の構造を示す説明図である。図５に示すように、本発明の端末は、スマートフォン２であってもよい。スマートフォン２は人体通信ユニット２１を備え、前記人体通信ユニット２１は図３に示される人体通信ユニット１１と類似し、すべてが電磁信号を送受信することができ、電磁信号の伝送を確保できる。また、スマートフォン２の表面に金属アイコン２２が設けられ、例えば、図５に示される金属アイコン２２は金属Ｌｏｇｏであり、前記金属Ｌｏｇｏはスマートフォン２内部の経路を介して人体通信ユニット２１に接続することができる。なお、金属アイコン２２は、スマートフォン２表面の他の形式であってもよい。例えば、金属フレーム、金属バックプレーンなどであってもよい。本発明はこれに対して限定しない。
【００４７】
ウェアラブル機器と端末との間の協力
図６は、一例示的な実施例に係るウェアラブル機器と端末との間の信号伝達実現の説明図である。図６に示すように、ユーザーが図３に示されるスマートブレスレット１を着け、図５に示されるスマートフォン２を使用すると、以下のような方式を介してスマートフォン２に対してリアルタイム状態のスイッチング制御を行う。
【００４８】
１）事前にスマートブレスレット１とスマートフォン２とをマッチングさせる。マッチング完了後、スマートブレスレット１にスマートフォン２のロック解除のパスワードが保存され、スマートブレスレット１及びスマートフォン２のそれぞれに身分検証情報が保存される。
【００４９】
勿論、セキュリティに対する要求が比較的に低い場合、スマートブレスレット１に対して身分検証を行う必要がない。よって、当該ステップにおいて「身分検証情報」に係る操作を省略してもよい。
【００５０】
２）スマートフォン２を制御しようとする時、ユーザーは、スマートフォン２の金属アイコン２２に接触、又は接近（間隔が所定の距離よりも小さいか等しい）することで、リアルタイム状態のスイッチング制御を完成する。ここで、
まず、マッチング完了後、スマートフォン２は自体のリアルタイム状態を照会し、状況に応じて定期的に金属アイコン２２にリアルタイム状態に対応する第１の電磁信号を送信する。ユーザーが金属アイコン２２と接触する時、例えば、図６に示すように人差し指で金属アイコン２２を接触する時、ユーザーの人体を伝送媒体として、「スマートフォン２−ユーザー人体−スマートブレスレット１」の電磁信号伝送経路を形成する。これによって、第１の電磁信号はユーザーの皮膚を介して、スマートブレスレット１の金属構造体１２に伝送されて人体通信ユニット１１まで伝送される。
【００５１】
そして、スマートブレスレット１は、第１の電磁信号に対応するリアルタイム状態を解析して、対応する第２の電磁信号を生成し、以下のような方式を介して、スマートフォン２に返信される。即ち、(1)人体通信ユニット１１は、金属構造体１２に前記第２の電磁信号を送信し、(2)第２の電磁信号は、金属構造体１２を介してユーザー人体に伝達され、人差し指を介してスマートフォン２の金属アイコン２２に伝送され、(3)第２の電磁信号は、金属アイコン２２を介して人体通信ユニット２１に伝送され、人体通信ユニット１２により第２の電磁信号に対して解析し、最終的にリアルタイム状態のスイッチング制御を実現する。
【００５２】
ここで、スマートフォン２が最初ロック状態であれば、第２の電磁信号にロック解除パスワード及びスマートフォン２にリアルタイム状態をロック状態からロック解除状態にスイッチングすることを通知する第１の識別子情報が含まれる。また、スマートフォン２が最初ロック解除状態であれば、第２の電磁信号に、スマートフォン２にリアルタイム状態をロック解除状態からロック状態にスイッチングすることを通知する第２の識別子情報が含まれる。
【００５３】
従って、前記実施例によれば、本発明は、人体を信号伝送媒体とし、ウェアラブル機器を利用して、端末スクリーンに対するリアルタイム状態の効果的なスイッチング制御を実現することができるので、スクリーンロック制御の操作効率を向上させることができるだけでなく、セキュリティ性も向上させることができる。
【００５４】
前述した情報表示方法の実施例に対応して、本発明は、情報表示装置の実施例も提供する。
【００５５】
図７は、一例示的な実施形態に係る端末側の端末スクリーンの状態を制御する装置を示すブロック図である。ここで、前記端末内に前記端末の表面の金属構造体に接続される第１の人体通信ユニットが備えられる。図７を参照すると、前記装置は、確定ユニット７１、送信ユニット７２、受信ユニット７３、及びスイッチングユニット７４を備える。
【００５６】
ここで、確定ユニット７１は、端末スクリーンのリアルタイム状態を第１の状態として確定するように構成される。
【００５７】
送信ユニット７２は、前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるように構成される。
【００５８】
受信ユニット７３は、前記第１の人体通信ユニットが前記金属構造体を介して関連するウェアラブル機器が前記第１の電磁信号によって返信される第２の電磁信号を受信するように構成される。
【００５９】
スイッチングユニット７４は、前記第２の電磁信号に前記端末スクリーンに対する状態スイッチング情報が含まれる場合、前記リアルタイム状態を前記第１の状態から第２の状態にスイッチングされるように構成される。
【００６０】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００６１】
図８を参照すると、図８は、一例示的な実施例に係る端末側の他の一つの端末スクリーンの状態を制御する装置を示すブロック図であり、本実施例は前述した図７に示すような実施例に加え、前記装置は、抽出ユニット７５及び処理ユニット７６をさらに備える。
【００６２】
ここで、抽出ユニット７５は、前記第２の電磁信号に含まれる身分情報を抽出し、前記身分情報を検証するように構成される。
【００６３】
処理ユニット７６は、検証に成功すると、前記第２の電磁信号が前記関連するウェアラブル機器からのものであると判定し、検証に成功しなかった場合、前記第２の電磁信号を廃棄するように構成される。
【００６４】
図９は、一例示的な実施例に係るウェアラブル側の端末スクリーンの状態を制御する装置を示すブロック図である。図９を参照すると、前記装置は、受信ユニット９１、生成ユニット９２、及び送信ユニット９３を備える。
【００６５】
ここで、受信ユニット９１は、ウェアラブル機器内の第２の人体通信ユニットが前記ウェアラブル機器の表面の金属構造体を介して、端末内の第１の人体通信ユニットが前記端末表面の金属構造体に送信する第１の電磁信号を受信するように構成される。
【００６６】
生成ユニット９２は、前記第１の電磁信号が相応する端末スクリーンのリアルタイム状態を第１の状態であると示す場合、前記端末スクリーンに対する状態スイッチング情報を含む第２の電磁信号を生成するように構成される。
【００６７】
送信ユニット９３は、前記第２の人体通信ユニットを介して前記ウェアラブル機器の表面の金属構造体に前記第２の電磁信号を送信し、前記第２の電磁信号がユーザーの皮膚を介して前記第１の人体通信ユニットに送信されるように構成される。
【００６８】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００６９】
好ましくは、前記第２の電磁信号は、前記ウェアラブル機器に対応する身分情報を含む。
【００７０】
前記実施例に係る装置の場合、装置中のそれぞれのモジュールが操作を実行する具体的な方法につき、関連する前記方法の実施例においてすでに詳細に記述したので、ここで説明を省略する。
【００７１】
装置に係る実施例の場合、基本的に方法に係る実施例に対応するため、関連する部分は、方法に係る実施例の部分を参照すればよい。以上述べた装置の実施例は、単に例示的なものであり、特に、分離部材として説明されるユニットは、物理的に隔離されるものであってもよく、又は隔離されていないものであってもよい。ユニットとして表示される部材は、物理ユニットであってもよく、又は物理ユニットではなくてもよい。また、同一の部位に位置してもよく、又は複数のネットワークユニットにそれぞれ分布されてもよい。実際の需要に応じて、その中の一部又は全部のモジュールを選択して、本発明の技術的案の目的を達成することができる。本分野の当業者が創造的な労働をしない前提で理解して実施することができる。
【００７２】
相応的に、本発明は、端末側の端末スクリーンの状態を制御する装置をさらに提供し、前記装置は、プロセッサーと、プロセッサーにより実行可能な命令を記憶するメモリとを備え、前記プロセッサーは、前記端末スクリーンのリアルタイム状態を第１の状態として確定し、前記第１の状態に対応する第１の電磁信号を生成し、前記電子機器内の第１の人体通信ユニットを介して前記電子機器の表面の金属構造体に前記第１の電磁信号を送信することにより、前記第１の電磁信号がユーザーの皮膚を介して送信され、前記第１の人体通信ユニットは前記金属構造体を介して、関連するウェアラブル機器が前記第１の電磁信号によって返信される第２の電磁信号を受信し、前記第２の電磁信号に前記スクリーンに対する状態スイッチング情報が含まれる場合、前記リアルタイム状態を第１の状態から第２の状態にスイッチングするように構成される。
【００７３】
相応的に、本発明は、メモリ及び少なくとも一つ以上のプログラムを備える端末を提供し、ここで、少なくとも一つ以上のプログラムはメモリに保存され、少なくとも一つ以上のプロセッサーを介して、以下のような操作を実行するための命令を含む前記少なくとも一つ以上のプログラムを実行する。即ち、前記操作は、端末スクリーンのリアルタイム状態を第１の状態として確定するステップと、前記第１の状態に対応する第１の電磁信号を生成し、前記端末内の第１の人体通信ユニットを介して前記端末表面の金属構造体に前記第１の電磁信号を送信し、前記第１の電磁信号がユーザーの皮膚を介して伝送されるステップと、前記第１の人体通信ユニットは前記金属構造体を介して、関連するウェアラブル機器が前記第１の電磁信号によって返される第２の電磁信号を受信するステップと、前記第２の電磁信号に前記端末スクリーンに対する状態スイッチング情報が含まれる場合、前記リアルタイム状態を前記第１の状態から第２の状態にスイッチングするステップとを含む。
【００７４】
相応的に、本発明は、ウェアラブル機器側の端末スクリーンの状態を制御する装置をさらに提供し、前記装置は、プロセッサーと、プロセッサーにより実行可能な命令を記憶するメモリとを備え、前記プロセッサーは、ウェアラブル機器内の第２の人体通信ユニットが前記ウェアラブル機器の表面の金属構造体を介して、端末から送信される第１の電磁信号を受信し、前記第１の電磁信号は前記端末内の第１の人体通信ユニットを介して前記端末表面の金属構造体に送信され、前記第１の電磁信号が相応する端末スクリーンのリアルタイム状態を第１の状態であると示す場合、前記端末スクリーンに対する状態スイッチング情報を含む第２の電磁信号を生成し、前記第２の人体通信ユニットを介して、接続される金属構造体に前記第２の電磁信号を送信し、前記第２の電磁信号はユーザーの皮膚を介して前記第１の人体通信ユニットに伝送される。
【００７５】
相応的に、本発明は、メモリ及び少なくとも一つ以上のプログラムを備えるウェアラブル機器をさらに提供し、ここで、少なくとも一つ以上のプログラムがメモリに記憶され、少なくとも一つ以上のプロセッサーを介して、以下のような操作を実行するための命令を含む前記少なくとも一つ以上のプログラムを実行する。即ち、前記操作は、ウェアラブル機器内の第２の人体通信ユニットが前記ウェアラブル機器の表面の金属構造体を介して、端末からの第１の電磁信号を受信し、前記第１の電磁信号は前記端末内の第１の人体通信ユニットを介して前記端末表面の金属構造体に送信するステップと、第１の電磁信号が相応する端末スクリーンのリアルタイム状態が第１の状態であると示す場合、前記端末スクリーンに対する状態スイッチング情報を含む第２の電磁信号を生成するステップと、前記第２の人体通信ユニットを介して、接続される金属構造体に前記第２の電磁信号を送信し、前記第２の電磁信号はユーザーの皮膚を介して前記第１の人体通信ユニットに送信されるステップとを含む。
【００７６】
図１０は、一例示的な実施例に係る端末側の端末スクリーンの状態を制御する装置１０００のブロック図である。例えば、装置１０００は、携帯電話、コンピュータ、デジタル放送端末器、メッセージ送受信装置、ゲームコンソール、タブレット装置、医療設備、フィットネス装置、ＰＤＡなどであってもよい。
【００７７】
図１０を参照すると、装置１０００は、処理ユニット１００２、メモリ１００４、電源ユニット１００６、マルチメディアユニット１００８、オーディオユニット１０１０、入出力（Ｉ／Ｏ）インターフェース１０１２、センサーユニット１０１４、及び通信ユニット１０１６からなる群から選ばれる少なくとも１つを備えてもよい。
【００７８】
処理ユニット１００２は、一般的には、装置１０００の全体の操作、例えば、表示、電話呼び出し、データ通信、カメラ操作、及び記録操作に関連する操作を制御する。処理ユニット１００２は、上述した方法におけるステップの一部又は全部を実現できるように、命令を実行する少なくとも１つのプロセッサー１０２０を備えてもよい。また、処理ユニット１００２は、他のユニットとのインタラクションを便利にさせるように、少なくとも１つのモジュールを備えてもよい。例えば、処理ユニット１００２は、マルチメディアユニット１００８との相互作用を容易にするように、マルチメディアモジュールを備えてもよい。
【００７９】
メモリ１００４は、装置１０００での操作をサポートするように、各種のデータを記憶するように配置される。これらのデータは、例えば、装置１０００で何れのアプリケーション又は方法を操作するための命令、連絡先データ、電話帳データ、メッセージ、画像、ビデオ等を備える。メモリ１００４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【００８０】
電源ユニット１００６は、装置１０００の各種ユニットに電力を供給するためのものであり、電源管理システム、１つ又は複数の電源、及び装置１０００のために電力を生成、管理及び分配することに関連する他のユニットを備えてもよい。
【００８１】
マルチメディアユニット１００８は、装置１０００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１００８は、フロントカメラ及びバックカメラ又はいずれか一方を有してもよい。装置１０００が、例えば、撮影モードやビデオモードのような操作モードにある時、フロントカメラ及びバックカメラ又はいずれか一方が外部のマルチメディアデータを受信できる。フロントカメラ及びバックカメラのそれぞれは、固定の光学レンズ系であってもよいし、焦点距離及び光学ズーム能力を有するものであってもよい。
【００８２】
オーディオユニット１０１０は、オーディオ信号を出力及び入力又はいずれかを行うように配置される。例えば、オーディオユニット１０１０は、マイクロフォン（ＭＩＣ）を有してもよい。装置１０００が、例えば、呼び出しモード、記録モード、又は音声認証モードのような操作モードにあるとき、マイクロフォンは、外部のオーディオ信号を受信するように配置される。受信したオーディオ信号は、メモリ１００４にさらに記憶されてもよいし、通信ユニット１０１６を介して送信されてもよい。一実施例では、オーディオユニット１０１０は、オーディオ信号を出力するためのスピーカをさらに備えてもよい。
【００８３】
Ｉ／Ｏインターフェース１０１２は、処理ユニット１００２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００８４】
センサーユニット１０１４は、装置１０００のために各方面の状態を評価する少なくとも１つのセンサーを備えてもよい。例えば、センサーユニット１０１４は、装置１０００のオン／オフ状態や、ユニットの相対的な位置を検出することができる。例えば、前記ユニットが装置１０００のディスプレイ及びキーパッドである。センサーユニット１０１４は、装置１０００又は装置１０００の１つのユニットの位置の変化、ユーザーが装置１０００に接触しているか否か、装置１０００の方向又は加速／減速、装置１０００の温度変化等を検出することができる。センサーユニット１０１４は、何れの物理的な接触もない場合に付近の物体を検出するように配置される近接センサーを有してもよい。センサーユニット１０１４は、イメージアプリケーションに用いるための光センサー、例えば、ＣＭＯＳ又はＣＣＤ画像センサーを有してもよい。一実施例では、該センサーユニット１０１４は、加速度センサー、ジャイロスコープセンサー、磁気センサー、圧力センサー又は温度センサーをさらに備えてもよい。
【００８５】
通信ユニット１０１６は、装置１０００と他の設備の間の無線又は有線通信を便利にさせるように配置される。装置１０００は、通信標準に基づく無線ネットワーク、例えば、ＷｉＦｉ（登録商標）や、２Ｇや、３Ｇ、又はこれらの組み合わせにアクセスできる。１つの例示的な実施例では、通信ユニット１０１６は、放送チャンネルを介して外部の放送管理システムからの放送信号又は放送に関する情報を受信する。１つの例示的な実施例では、前記通信ユニット１０１６は、近距離通信を促進するために近距離無線通信（ＮＦＣ）モジュールをさらに備えてもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００８６】
例示的な実施例では、装置１０００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【００８７】
例示的な実施例では、命令を有する非一時的（ｎｏｎ‐ｔｒａｎｓｉｔｏｒｙ）コンピュータ可読記録媒体、例えば、命令を有するメモリ１００４をさらに提供する。前記命令は、装置１０００のプロセッサー１０２０により実行されて前記方法を実現する。例えば、前記非一時的コンピュータ可読記録媒体、ＲＯＭ、ＲＡＭ、ＣＤ−ＲＯＭ（登録商標）、磁気テープ、フロッピーディスク（登録商標）、光データ記憶デバイス等であってもよい。
【００８８】
図１１は、一例示的な実施例に係る端末側の端末スクリーンの状態を制御する装置１１００のブロック図である。例えば、装置１１００は、携帯電話、コンピュータ、デジタル放送端末器、メッセージ送受信装置、ゲームコンソール、タブレット装置、医療設備、フィットネス装置、ＰＤＡなどであってもよい。
【００８９】
図１１を参照すると、装置１１００は、処理ユニット１１０２、メモリ１１０４、電源ユニット１１０６、マルチメディアユニット１１０８、オーディオユニット１１１０、入出力（Ｉ／Ｏ）インターフェース１１１２、センサーユニット１１１４、及び通信ユニット１１１６からなる群から選ばれる少なくとも１つを備えてもよい。
【００９０】
処理ユニット１１０２は、一般的には、装置１１００の全体の操作、例えば、表示、電話呼び出し、データ通信、カメラ操作、及び記録操作に関連する操作を制御する。処理ユニット１１０２は、上述した方法におけるステップの一部又は全部を実現できるように、命令を実行する少なくとも１つのプロセッサー１１２０を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８との相互作用を容易にするように、マルチメディアモジュールを備えてもよい。
【００９１】
メモリ１１０４は、装置１１００での操作をサポートするように、各種のデータを記憶するように配置される。これらのデータは、例えば、装置１１００で何れのアプリケーション又は方法を操作するための命令、連絡先データ、電話帳データ、メッセージ、画像、ビデオ等を備える。メモリ１１０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【００９２】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【００９３】
マルチメディアユニット１１０８は、装置１１００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１１０８は、フロントカメラ及びはバックカメラ又はいずれか一方を有してもよい。装置１１００が、例えば、撮影モードやビデオモードのような操作モードにある時、フロントカメラ及びはバックカメラ又はいずれか一方が外部のマルチメディアデータを受信できる。フロントカメラ及びバックカメラのそれぞれは、固定の光学レンズ系であってもよいし、焦点距離及び光学ズーム能力を有するものであってもよい。
【００９４】
オーディオユニット１１１０は、オーディオ信号を出力及びは入力又はいずれかを行うように配置される。例えば、オーディオユニット１１１０は、マイクロフォン（ＭＩＣ）を有してもよい。装置１１００が、例えば、呼び出しモード、記録モード、又は音声認証モードのような操作モードにあるとき、マイクロフォンは、外部のオーディオ信号を受信するように配置される。受信したオーディオ信号は、メモリ１１０４にさらに記憶されてもよいし、通信ユニット１１１６を介して送信されてもよい。一実施例では、オーディオユニット１１１０は、オーディオ信号を出力するためのスピーカをさらに備えてもよい。
【００９５】
Ｉ／Ｏインターフェース１１１２は、処理ユニット１１０２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００９６】
センサーユニット１１１４は、装置１１００のために各方面の状態を評価する少なくとも１つのセンサーを備えてもよい。例えば、センサーユニット１１１４は、装置１１００のオン／オフ状態や、ユニットの相対的な位置を検出することができる。例えば、前記ユニットが装置１１００のディスプレイ及びキーパッドである。センサーユニット１１１４は、装置１１００又は装置１１００の１つのユニットの位置の変化や、ユーザーが装置１１００に接触しているか否かや、装置１１００の方向又は加速／減速や、装置１１００の温度変化を検出することができる。センサーユニット１１１４は、何れの物理的な接触もない場合に付近の物体を検出するように配置される近接センサーを有してもよい。センサーユニット１１１４は、イメージアプリケーションに用いるための光センサー、例えば、ＣＭＯＳ又はＣＣＤ画像センサーを有してもよい。一実施例では、該センサーユニット１１１４は、加速度センサー、ジャイロスコープセンサー、磁気センサー、圧力センサー又は温度センサーをさらに備えてもよい。
【００９７】
通信ユニット１１１６は、装置１１００と他の設備の間の無線又は有線通信を便利にさせるように配置される。装置１１００は、通信標準に基づく無線ネットワーク、例えば、ＷｉＦｉ（登録商標）や、２Ｇや、３Ｇ、又はこれらの組み合わせにアクセスできる。１つの例示的な実施例では、通信ユニット１１１６は、放送チャンネルを介して外部の放送管理システムからの放送信号又は放送に関する情報を受信する。１つの例示的な実施例では、前記通信ユニット１１１６は、近距離通信を促進するために近距離無線通信（ＮＦＣ）モジュールをさらに備えてもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００９８】
例示的な実施例では、装置１１００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【００９９】
例示的な実施例では、命令を有する非一時的（ｎｏｎ‐ｔｒａｎｓｉｔｏｒｙ）コンピュータ可読記録媒体、例えば、命令を有するメモリ１１０４をさらに提供する。前記命令は、装置１１００のプロセッサー１１２０により実行されて前記方法を実現する。例えば、前記非一時的コンピュータ可読記録媒体、ＲＯＭ、ＲＡＭ、ＣＤ−ＲＯＭ（登録商標）、磁気テープ、フロッピーディスク（登録商標）、光データ記憶デバイス等であってもよい。
【０１００】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１０１】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０１０２】
当該出願は、出願番号が２０１５１０１２６３３８．６であって、出願日が２０１５年３月２０日である中国特許出願を基礎として優先権を主張し、当該中国特許出願の内容全体は、本願発明に援用される。
【図１】
2017515434.tif 000003
【図２】
2017515434.tif 000004
【図３】
2017515434.tif 000005
【図４】
2017515434.tif 000006
【図５】
2017515434.tif 000007
【図６】
2017515434.tif 000008
【図７】
2017515434.tif 000009
【図８】
2017515434.tif 000010
【図９】
2017515434.tif 000011
【図１０】
2017515434.tif 000012
【図１１】
2017515434.tif 000013
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
内部に第１の人体通信ユニットを備える端末のスクリーンの状態を制御する方法であって、前記第１の人体通信ユニットは前記端末の表面の金属構造体に接続され、
端末スクリーンのリアルタイム状態を第１の状態として確定するステップと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるようにするステップと、
前記第１の人体通信ユニットは前記金属構造体を介して、関連するウェアラブル機器が前記第１の電磁信号によって返信される第２の電磁信号を受信するステップと、
前記第２の電磁信号に前記端末スクリーンの状態スイッチング情報が含まれる場合、前記リアルタイム状態を前記第１の状態から第２の状態にスイッチングするステップと、を含むことを特徴とする端末スクリーンの状態を制御する方法。
【請求項２】
前記第１の状態がロック状態であり、且つ前記第２の状態がロック解除状態である場合、前記状態スイッチング情報には、ロック解除パスワード及び前記端末に前記リアルタイム状態を前記第１の状態から前記第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を前記第２の状態から前記第１の状態にスイッチングするように通知する第２の識別子情報が含まれることを特徴とする請求項１に記載の端末スクリーンの状態を制御する方法。
【請求項３】
前記第２の電磁信号に含まれる身分情報を抽出し、前記身分情報を検証するステップと、
検証に成功すると、前記第２の電磁信号が前記関連するウェアラブル機器からのものであると判定し、検証に成功しなかった場合は、前記第２の電磁信号を廃棄するステップと、をさらに含むことを特徴とする請求項１に記載の端末スクリーンの状態を制御する方法。
【請求項４】
ウェアラブル機器内の第２の人体通信ユニットは、前記ウェアラブル機器の表面の金属構造体を介して、端末内の第１の人体通信ユニットが前記端末の表面の金属構造体に送信する第１の電磁信号を受信するステップと、
第１の電磁信号が相応する端末スクリーンのリアルタイム状態を第１の状態であると示す場合、前記端末スクリーンに対する状態スイッチング情報を含む第２の電磁信号を生成するステップと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるステップと、を含むことを特徴とする端末スクリーンの状態を制御する方法。
【請求項５】
前記第１の状態がロック状態であり、且つ第２の状態がロック解除状態である場合、前記状態スイッチング情報には、ロック解除パスワード及び前記端末に前記リアルタイム状態を前記第１の状態から前記第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を前記第２の状態から前記第１の状態にスイッチングするように通知する第２の識別子情報が含まれることを特徴とする請求項４に記載の端末スクリーンの状態を制御する方法。
【請求項６】
前記第２の電磁信号は、前記ウェアラブル機器に対応する身分情報をさらに含むことを特徴とする請求項４に記載の端末スクリーンの状態を制御する方法。
【請求項７】
内部に第１の人体通信ユニットを備える端末のスクリーンの状態を制御する装置であって、前記第１の人体通信ユニットは前記端末の表面の金属構造体に接続され、
端末スクリーンのリアルタイム状態を第１の状態として確定するように構成される確定ユニットと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるように構成される送信ユニットと、
前記第１の人体通信ユニットは前記金属構造体を介して、関連するウェアラブル機器が前記第１の電磁信号によって返信される第２の電磁信号を受信するように構成される受信ユニットと、
前記第２の電磁信号に前記端末スクリーンの状態スイッチング情報が含まれる場合、前記リアルタイム状態を前記第１の状態から第２の状態にスイッチングするように構成されるスイッチングユニットと、を備えることを特徴とする端末スクリーンの状態を制御する装置。
【請求項８】
前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれることを特徴とする請求項７に記載の端末スクリーンの状態を制御する装置。
【請求項９】
前記第２の電磁信号に含まれる身分情報を抽出し、前記身分情報を検証するように構成される抽出ユニットと、
検証に成功すると、前記第２の電磁信号が前記関連するウェアラブル機器からのものであると判定し、検証に成功しなかった場合は、前記第２の電磁信号を廃棄するように構成される処理ユニットと、をさらに備えることを特徴とする請求項７に記載の端末スクリーンの状態を制御する装置。
【請求項１０】
ウェアラブル機器内の第２の人体通信ユニットは、前記ウェアラブル機器の表面の金属構造体を介して、端末内の第１の人体通信ユニットが前記端末表面の金属構造体に送信する第１の電磁信号を受信するように構成される受信ユニットと、
第１の電磁信号が相応する端末スクリーンのリアルタイム状態を第１の状態であると示す場合、前記端末スクリーンに対する状態スイッチング情報を含む第２の電磁信号を生成するように構成される生成ユニットと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるように構成される送信ユニットと、を備えることを特徴とする端末スクリーンの状態を制御する装置。
【請求項１１】
前記第１の状態がロック状態であり、且つ第２の状態がロック解除状態である場合、前記状態スイッチング情報には、ロック解除パスワード及び前記端末に前記リアルタイム状態を前記第１の状態から前記第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を前記第２の状態から前記第１の状態にスイッチングするように通知する第２の識別子情報が含まれることを特徴とする請求項１０に記載の端末スクリーンの状態を制御する装置。
【請求項１２】
前記第２の電磁信号は、前記ウェアラブル機器に対応する身分情報をさらに含む特徴とする請求項１０に記載の端末スクリーンの状態を制御する装置。
【請求項１３】
プロセッサーと、
前記プロセッサーによって実行可能な命令を記憶するメモリと、を備え、
前記プロセッサーは、
電子機器のスクリーンのリアルタイム状態を第１の状態として確定し、
前記第１の状態に対応する第１の電磁信号を生成し、前記電子機器内の第１の人体通信ユニットを介して前記電子機器の表面の金属構造体に前記第１の電磁信号を送信することにより、前記第１の電磁信号がユーザーの皮膚を介して伝送され、
前記第１の人体通信ユニットは前記金属構造体を介して、関連するウェアラブル機器が前記第１の電磁信号によって返信される第２の電磁信号を受信し、
前記第２の電磁信号に前記スクリーンに対する状態スイッチング情報が含まれる場合、前記リアルタイム状態を第１の状態から第２の状態にスイッチングするように構成されることを特徴とする電子機器。
【請求項１４】
プロセッサーと、
前記プロセッサーによって実行可能な命令を記憶するメモリと、を備え、
前記プロセッサーは、
電子機器内の第２の人体通信ユニットが前記電子機器の表面の金属構造体を介して端末からの第１の電磁信号を受信し、前記第１の電磁信号は、前記端末内の第１の人体通信ユニットを介して前記端末の表面の金属構造体に送信され、
第１の電磁信号が相応する端末スクリーンのリアルタイム状態が第１の状態であると示す場合、前記端末スクリーンに対する状態スイッチング情報を含む第２の電磁信号を生成し、
前記第２の人体通信ユニットを介して接続される金属構造体に前記第２の電磁信号を送信することにより、前記第２の電磁信号がユーザーの皮膚を介して前記第１の人体通信ユニットに伝送されるように構成されることを特徴とする電子機器。
【請求項１５】
プロセッサーに実行されることにより、請求項１−６のいずれか１項に記載の端末スクリーンの状態を制御する方法を実現する、コンピュータ読取可能な記録媒体に記録されたプログラム。
【請求項１６】
請求項１５に記載のプログラムが記録されたコンピュータ読取可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、スクリーンロック制御の技術分野に関し、更に詳細には、端末スクリーンの状態を制御する方法、装置、電子機器、プログラム及び記録媒体に関する。
【背景技術】
【０００２】
ユーザーの不注意によるタッチを防止し、また、端末の省電力などのために、端末スクリーンに対してロック処理を行う必要があり、ユーザーは必要に応じてロック解除の操作を行う。関連技術において、ユーザーは端末の電源ボタンを押して端末スクリーンのロックを実現し、また、ユーザーは端末スクリーンでクリック又はスライディング操作を行って、端末スクリーンのロック解除を実現する。
【発明の概要】
【発明が解決しようとする課題】
【０００３】
本発明は、関連技術に存在する不足点を解決するために、端末スクリーンの状態を制御する方法、装置、電子機器、プログラム及び記録媒体を提供する。
【課題を解決するための手段】
【０００４】
本発明の第１の態様によれば、端末スクリーンの状態を制御する方法が提供され、前記端末は、内部に前記端末の表面の金属構造体に接続される第１の人体通信ユニットを備え、前記方法は、
端末スクリーンのリアルタイム状態を第１の状態として確定するステップと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるようにするステップと、
前記第１の人体通信ユニットは前記金属構造体を介して、関連するウェアラブル機器が前記第１の電磁信号によって返信される第２の電磁信号を受信するステップと、
前記第２の電磁信号に前記端末スクリーンに対する状態スイッチング情報が含まれる場合、前記リアルタイム状態を前記第１の状態から第２の状態にスイッチングするステップと、を含む。
【０００５】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【０００６】
好ましくは、前記第２の電磁信号に含まれる身分情報を抽出し、前記身分情報を検証するステップと、
検証に成功すると、前記第２の電磁信号が前記関連するウェアラブル機器からのものであると判定し、検証に成功しなかった場合は、前記第２の電磁信号を廃棄するステップと、をさらに含む。
【０００７】
本発明の第２の態様によれば、端末スクリーンの状態を制御する方法が提供され、前記方法は、
ウェアラブル機器内の第２の人体通信ユニットは、前記ウェアラブル機器の表面の金属構造体を介して、端末内の第１の人体通信ユニットが前記端末の表面の金属構造体に送信する第１の電磁信号を受信するステップと、
第１の電磁信号が相応する端末スクリーンのリアルタイム状態を第１の状態であると示す場合、前記端末スクリーンに対する状態スイッチング情報を含む第２の電磁信号を生成するステップと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるステップと、を含む。
【０００８】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【０００９】
好ましくは、前記第２の電磁信号は、前記ウェアラブル機器に対応する身分情報をさらに含む。
【００１０】
本発明の第３の態様によれば、端末スクリーンの状態を制御する装置が提供され、前記端末は、内部に前記端末の表面の金属構造体に接続される第１の人体通信ユニットを備え、前記装置は、
端末スクリーンのリアルタイム状態を第１の状態として確定するように構成される確定ユニットと、
前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるように構成される送信ユニットと、
前記第１の人体通信ユニットは前記金属構造体を介して、関連するウェアラブル機器が前記第１の電磁信号によって返信される第２の電磁信号を受信するように構成される受信ユニットと、
前記第２の電磁信号に前記端末スクリーンの状態スイッチング情報が含まれる場合、前記リアルタイム状態を前記第１の状態から第２の状態にスイッチングするように構成されるスイッチングユニットと、を備える。
【００１１】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００１２】
好ましくは、前記第２の電磁信号に含まれる身分情報を抽出し、前記身分情報を検証するように構成される抽出ユニットと、
検証に成功すると、前記第２の電磁信号が前記関連するウェアラブル機器からのものであると判定し、検証に成功しなかった場合は、前記第２の電磁信号を廃棄するように構成される処理ユニットと、をさらに備える。
【００１３】
本発明の第４の態様によれば、端末スクリーンの状態を制御する装置が提供され、前記装置は、
ウェアラブル機器内の第２の人体通信ユニットは、前記ウェアラブル機器の表面の金属構造体を介して、端末内の第１の人体通信ユニットが前記端末表面の金属構造体に送信する第１の電磁信号を受信するように構成される受信ユニットと、
第１の電磁信号が相応する端末スクリーンのリアルタイム状態を第１の状態であると示す場合、前記端末スクリーンに対する状態スイッチング情報を含む第２の電磁信号を生成するように構成される生成ユニットと、
前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送されるように構成される送信ユニットと、を備える。
【００１４】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００１５】
好ましくは、前記第２の電磁信号は、前記ウェアラブル機器に対応する身分情報を含んでいる。
【００１６】
本発明の第５の態様によれば、電子機器が提供され、前記電子機器は、
プロセッサーと、
前記プロセッサーによって実行可能な命令を記憶するメモリと、を備え、
前記プロセッサーは、
電子機器スクリーンのリアルタイム状態を第１の状態として確定し、
前記第１の状態に対応する第１の電磁信号を生成し、前記電子機器内の第１の人体通信ユニットを介して前記電子機器の表面の金属構造体に前記第１の電磁信号を送信することにより、前記第１の電磁信号がユーザーの皮膚を介して伝送され、
前記第１の人体通信ユニットは前記金属構造体を介して、関連するウェアラブル機器が前記第１の電磁信号によって返信される第２の電磁信号を受信し、
前記第２の電磁信号に前記スクリーンに対する状態スイッチング情報が含まれる場合、前記リアルタイム状態を第１の状態から第２の状態にスイッチングするように構成される。
【００１７】
本発明の第６の態様によれば、電子機器が提供され、前記電子機器は、
プロセッサーと、
前記プロセッサーによって実行可能な命令を記憶するメモリと、を備え、
前記プロセッサーは、
電子機器内の第２の人体通信ユニットが前記電子機器の表面の金属構造体を介して端末からの第１の電磁信号を受信し、前記第１の電磁信号は、前記端末内の第１の人体通信ユニットを介して前記端末の表面の金属構造体に送信され、
第１の電磁信号が相応する端末スクリーンのリアルタイム状態が第１の状態であると示す場合、前記端末スクリーンに対する状態スイッチング情報を含む第２の電磁信号を生成し、
前記第２の人体通信ユニットを介して接続される金属構造体に前記第２の電磁信号を送信することにより、前記第２の電磁信号がユーザーの皮膚を介して前記第１の人体通信ユニットに伝送されるように構成される。
本発明の第７の態様によれば、
プロセッサーに実行されることにより、上記の端末スクリーンの状態を制御する方法を実現する、コンピュータ読取可能な記録媒体に記録されたプログラムを提供する。
本発明の第８の態様によれば、
上記プログラムが記録されたコンピュータ読取可能な記録媒体を提供する。
【発明の効果】
【００１８】
本発明が提供する技術的案によれば、下記のような有益な効果を含むことができる。即ち、
本発明は、端末及びウェアラブル機器の内部にそれぞれ人体通信ユニットをインプラントし、人体通信ユニットを端末及びウェアラブル機器の表面の金属構造体にそれぞれ接続させることで、ユーザーが端末及びウェアラブル機器の金属構造体に接触する時、ユーザーの皮膚を媒体として、端末とウェアラブル機器との間の信号チャンネルを構築し、電磁信号の伝送を基づき、端末スクリーンに対するロック状態制御を実現し、端末スクリーンのロック状態を迅速にスイッチング制御して、セキュリティ性を向上させ、電力消費を減少させることができる。
【００１９】
なお、以上の一般的な記述と、以下の詳細の記述は、ただ例示的なものであって、本発明を限定するものではない。
【図面の簡単な説明】
【００２０】
以下の図面は、明細書に組み入れて本明細書の一部分を構成し、本発明に該当する実施例を例示するとともに、明細書とともに本発明の原理を解釈するように構成される。
【図１】一例示的な実施例に係る端末側の端末スクリーンの状態を制御する方法を示すフローチャートである。
【図２】一例示的な実施例に係るウェアラブル機器側の端末スクリーンの状態を制御する方法を示すフローチャートである。
【図３】一例示的な実施例に係るウェアラブル機器の構造を示す説明図である。
【図４】一例示的な実施例に係るウェアラブル機器が信号伝達を実現することを示す説明図である。
【図５】一例示的な実施例に係る端末の構造を示す説明図である。
【図６】一例示的な実施例に係るウェアラブル機器と端末との間に信号伝達を実現することを示す説明図である。
【図７】一例示的な実施例に係る端末側の端末スクリーンの状態を制御する装置を示すブロック図である。
【図８】一例示的な実施例に係る端末側の他の一つの端末スクリーンの状態を制御する装置を示すブロック図である。
【図９】一例示的な実施例に係るウェアラブル機器側の端末スクリーンの状態を制御する装置を示すブロック図である。
【図１０】一例示的な実施例に係る端末側の端末スクリーンの状態を制御するための装置の構造を示す説明図である。
【図１１】一例示的な実施例に係るウェアラブル機器側の端末スクリーンの状態を制御するための装置の構造を示す説明図である。
【発明を実施するための形態】
【００２１】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２２】
図１は、一例示的な実施例に係る端末側の端末スクリーンの状態を制御する方法を示すフローチャートである。図１に示すように、前記方法は端末に適用され、前記端末内に前記端末の表面の金属構造体に接続される第１の人体通信ユニットが含まれ、前記方法は、以下のようなステップを含んでもよい。
【００２３】
ステップ１０２：端末スクリーンのリアルタイム状態を第１の状態として確定する。
【００２４】
ステップ１０４：前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送される。
【００２５】
本実施例では、第１の電磁信号は、リアルタイム状態に対応する識別子ビットを含んでもよい。例えば、前記識別子ビットが 「０」であれば、リアルタイム状態が第１の状態であることを示し、前記識別子ビットが「１」であれば、リアルタイム状態が第２の状態であることを示す。なお、第１の電磁信号は他の情報をさらに含んでもよい。本発明はこれに対して限定しない。
【００２６】
本実施例において、端末内の第１の人体通信ユニットと端末表面の金属構造体とが接続されるので、第１の人体通信ユニットは定期的に前記金属構造体に第１の電磁信号を送信すると、ユーザーが金属構造体に接触（又はユーザーの皮膚と金属構造体との間の距離が所定の距離よりも小さい又は等しい）する場合、第１の人体通信ユニット、金属構造体及びユーザーの皮膚などの人体部位の間にチャンネルが形成されて、第１の電磁信号がユーザーを経て転送されることができる。
【００２７】
本実施例では、端末表面の金属構造体が前記端末の金属ケースやその一部、金属フレームやその一部、金属アイコン（Logo）などであってもよい。前記金属構造体は、ユーザーが端末を正常的に使用する時、容易にタッチしない部位に設置されて金属構造体に対する不注意によるタッチを防止する。
【００２８】
ステップ１０６：前記第１の人体通信ユニットは前記金属構造体を介して、関連するウェアラブル機器が前記第１の電磁信号によって返信される第２の電磁信号を受信する。
【００２９】
本実施例では、人体を介して電磁信号を送信し、端末内の第１の人体通信ユニットは、ウェアラブル機器が返信される第２の電磁信号を受信して端末のリアルタイム状態に対してスイッチング制御する。
【００３０】
ステップ１０８：前記第２の電磁信号に前記端末スクリーンの状態スイッチング情報が含まれる場合、前記リアルタイム状態を前記第１の状態から第２の状態にスイッチングする。
【００３１】
本実施例では、一例示的な実施形態として、第１の状態がロック状態であり、且つ第２の状態がロック解除状態であり、上記実施形態を介して端末スクリーンに対するロック解除制御を実現する。また、他の一例示的な実施形態として、第１の状態がロック解除状態であり、且つ第２の状態がロック状態であり、上記実施形態を介して端末スクリーンに対するロック制御を実現する。
【００３２】
本実施例では、第１の状態がロック状態であり、且つ第２の状態がロック解除状態である場合、状態スイッチング情報は、ロック解除パスワード及び前記端末に前記リアルタイム状態を第１の状態から第２の状態にスイッチングするように通知する第１の識別子情報を含んでもよい。
【００３３】
又は、第１の状態がロック解除状態であり、且つ第２の状態がロック状態である場合、前記状態スイッチング情報は、前記端末に前記リアルタイム状態を第２の状態から第１の状態にスイッチングするように通知する第２の識別子情報を含んでもよい。
【００３４】
相応的に、図２は、一例示的な実施例に係るウェアラブル機器側の端末スクリーンの状態を制御する方法を示すフローチャートであり、図２に示すように、前記方法は、ウェアラブル機器に適用され、以下のようなステップを含んでもよい。
【００３５】
ステップ２０２：ウェアラブル機器内の第２の人体通信ユニットは、前記ウェアラブル機器の表面の金属構造体を介して、端末内の第１の人体通信ユニットが前記端末の表面の金属構造体に送信する第１の電磁信号を受信する。
【００３６】
本実施例では、ウェアラブル機器がスマートブレスレット、スマートリング、スマートメガネなどであってもよい。本発明は、ウェアラブル機器の形式や構造に対して限定しない。ただし、ユーザーがウェアラブル機器を身に着けた時、前記ウェアラブル機器の表面の金属構造体がユーザーの皮膚に接触することができ、又は所定の距離よりも小さいか、同じ間隔を維持して電磁信号の伝送を確保することができればよい。
【００３７】
ステップ２０４：第１の電磁信号が、相応する端末スクリーンのリアルタイム状態を第１の状態であると示す場合、前記端末スクリーンに対する状態スイッチング情報を含む第２の電磁信号を生成する。
【００３８】
本実施例では、第１の状態がロック状態であり、且つ第２の状態がロック解除状態である場合、状態スイッチング情報は、ロック解除パスワード及び前記端末に前記リアルタイム状態を第１の状態から第２の状態にスイッチングするように通知する第１の識別子情報を含んでもよい。
【００３９】
又は、第１の状態がロック解除状態であり、且つ第２の状態がロック状態である場合、状態スイッチング情報は、前記端末に前記リアルタイム状態を第２の状態から第１の状態にスイッチングするように通知する第２の識別子情報を含んでもよい。
【００４０】
本実施例において、第２の電磁信号はウェアラブル機器と端末との間の関連関係を示す身分情報をさらに含んでもよい。例えば、端末及びウェアラブル機器は、事前にマッチング（ｍａｔｃｈｉｎｇ）操作を介して両者の間の関連関係を確立し、マッチングする過程で前記身分情報を生成するとともに、端末及びウェアラブル機器に保存することができる。例えば、前記身分情報は検証文字列であってもよい。この時、第２の電磁信号を受信する場合、端末はその中の身分情報と自体が保存した身分情報とを比較し、マッチングされると、前記第２の電磁信号が前記関連するウェアラブル機器からのものであると判定し、マッチングされないと、直接廃棄する。
【００４１】
ステップ２０６：前記第２の人体通信ユニットを介して前記ウェアラブル機器の表面の金属構造体に前記第２の電磁信号を送信し、前記第２の電磁信号がユーザーの皮膚を介して前記第１の人体通信ユニットに伝送される。
【００４２】
前記実施例から分かるように、本発明は、端末及びウェアラブル機器内部にそれぞれ人体通信ユニットをインプラントし、人体通信ユニットを端末及びウェアラブル機器の表面の金属構造体にそれぞれ接続させることで、ユーザーが端末及びウェアラブル機器の金属構造体に接触する時、ユーザーの皮膚を媒体として、端末とウェアラブル機器との間の信号チャンネルを構築し、電磁信号の伝送を基づき、端末スクリーンに対するロック状態制御を実現して、端末スクリーンのロック状態を迅速にスイッチング制御し、セキュリティ性を向上させ、消費電力を低減させることができる。
【００４３】
以下、ウェアラブル機器及び端末の具体的な応用場面に結合して、本発明の技術案を説明する。
【００４４】
ウェアラブル機器
図３は、一例示的な実施例に係るウェアラブル機器の構造を示す説明図である。図３に示すように、本発明のウェアラブル機器は、スマートブレスレット１であってもよい。スマートブレスレット１は人体通信ユニット１１を備え、前記人体通信ユニット１１は、電磁信号を送受信することができ、電磁信号の伝送を確保することができる。また、スマートブレスレット１の表面に金属構造体１２が設けられ、例えば、図３に示される金属構造体１２は金属シートであり、前記金属シートはスマートブレスレット１内部の経路を通じて人体通信ユニット１１に接続される。
【００４５】
図４を参照すると、ユーザーがスマートブレスレット１を手首に着ける場合、金属構造体１２とユーザーの手首の皮膚が互いに接触（又は所定の距離よりも小さいか、又は同じ間隔を維持する）され、「人体通信ユニット１１−金属構造体１２−ユーザー皮膚」の通信経路を形成して電磁信号の伝送を確保する。例えば、人体通信ユニット１１は電磁信号を生成した後、前記電磁信号は以下の方式を介して伝送される。即ち、(1)人体通信ユニット１１が電磁信号を送信した後、前記電磁信号は、スマートブレスレット１内部の経路に沿って金属構造体１２に伝達され、(2)電磁信号は、金属構造体１２を介してユーザーの手首の皮膚に伝送され、皮膚を介して全身、例えば、図４に示される人差し指に伝達される。
【００４６】
端末
図５は、一例示的な実施例に係る端末の構造を示す説明図である。図５に示すように、本発明の端末は、スマートフォン２であってもよい。スマートフォン２は人体通信ユニット２１を備え、前記人体通信ユニット２１は図３に示される人体通信ユニット１１と類似し、すべてが電磁信号を送受信することができ、電磁信号の伝送を確保できる。また、スマートフォン２の表面に金属アイコン２２が設けられ、例えば、図５に示される金属アイコン２２は金属Ｌｏｇｏであり、前記金属Ｌｏｇｏはスマートフォン２内部の経路を介して人体通信ユニット２１に接続することができる。なお、金属アイコン２２は、スマートフォン２表面の他の形式であってもよい。例えば、金属フレーム、金属バックプレーンなどであってもよい。本発明はこれに対して限定しない。
【００４７】
ウェアラブル機器と端末との間の協力
図６は、一例示的な実施例に係るウェアラブル機器と端末との間の信号伝達実現の説明図である。図６に示すように、ユーザーが図３に示されるスマートブレスレット１を着け、図５に示されるスマートフォン２を使用すると、以下のような方式を介してスマートフォン２に対してリアルタイム状態のスイッチング制御を行う。
【００４８】
１）事前にスマートブレスレット１とスマートフォン２とをマッチングさせる。マッチング完了後、スマートブレスレット１にスマートフォン２のロック解除のパスワードが保存され、スマートブレスレット１及びスマートフォン２のそれぞれに身分検証情報が保存される。
【００４９】
勿論、セキュリティに対する要求が比較的に低い場合、スマートブレスレット１に対して身分検証を行う必要がない。よって、当該ステップにおいて「身分検証情報」に係る操作を省略してもよい。
【００５０】
２）スマートフォン２を制御しようとする時、ユーザーは、スマートフォン２の金属アイコン２２に接触、又は接近（間隔が所定の距離よりも小さいか等しい）することで、リアルタイム状態のスイッチング制御を完成する。ここで、
まず、マッチング完了後、スマートフォン２は自体のリアルタイム状態を照会し、状況に応じて定期的に金属アイコン２２にリアルタイム状態に対応する第１の電磁信号を送信する。ユーザーが金属アイコン２２と接触する時、例えば、図６に示すように人差し指で金属アイコン２２を接触する時、ユーザーの人体を伝送媒体として、「スマートフォン２−ユーザー人体−スマートブレスレット１」の電磁信号伝送経路を形成する。これによって、第１の電磁信号はユーザーの皮膚を介して、スマートブレスレット１の金属構造体１２に伝送されて人体通信ユニット１１まで伝送される。
【００５１】
そして、スマートブレスレット１は、第１の電磁信号に対応するリアルタイム状態を解析して、対応する第２の電磁信号を生成し、以下のような方式を介して、スマートフォン２に返信される。即ち、(1)人体通信ユニット１１は、金属構造体１２に前記第２の電磁信号を送信し、(2)第２の電磁信号は、金属構造体１２を介してユーザー人体に伝達され、人差し指を介してスマートフォン２の金属アイコン２２に伝送され、(3)第２の電磁信号は、金属アイコン２２を介して人体通信ユニット２１に伝送され、人体通信ユニット１２により第２の電磁信号に対して解析し、最終的にリアルタイム状態のスイッチング制御を実現する。
【００５２】
ここで、スマートフォン２が最初ロック状態であれば、第２の電磁信号にロック解除パスワード及びスマートフォン２にリアルタイム状態をロック状態からロック解除状態にスイッチングすることを通知する第１の識別子情報が含まれる。また、スマートフォン２が最初ロック解除状態であれば、第２の電磁信号に、スマートフォン２にリアルタイム状態をロック解除状態からロック状態にスイッチングすることを通知する第２の識別子情報が含まれる。
【００５３】
従って、前記実施例によれば、本発明は、人体を信号伝送媒体とし、ウェアラブル機器を利用して、端末スクリーンに対するリアルタイム状態の効果的なスイッチング制御を実現することができるので、スクリーンロック制御の操作効率を向上させることができるだけでなく、セキュリティ性も向上させることができる。
【００５４】
前述した情報表示方法の実施例に対応して、本発明は、情報表示装置の実施例も提供する。
【００５５】
図７は、一例示的な実施形態に係る端末側の端末スクリーンの状態を制御する装置を示すブロック図である。ここで、前記端末内に前記端末の表面の金属構造体に接続される第１の人体通信ユニットが備えられる。図７を参照すると、前記装置は、確定ユニット７１、送信ユニット７２、受信ユニット７３、及びスイッチングユニット７４を備える。
【００５６】
ここで、確定ユニット７１は、端末スクリーンのリアルタイム状態を第１の状態として確定するように構成される。
【００５７】
送信ユニット７２は、前記第１の状態に対応する第１の電磁信号を生成し、前記第１の人体通信ユニットを介して前記金属構造体に前記第１の電磁信号を送信することにより、前記第１の電磁信号がユーザーの皮膚を介して伝送されるように構成される。
【００５８】
受信ユニット７３は、前記第１の人体通信ユニットが前記金属構造体を介して関連するウェアラブル機器が前記第１の電磁信号によって返信される第２の電磁信号を受信するように構成される。
【００５９】
スイッチングユニット７４は、前記第２の電磁信号に前記端末スクリーンに対する状態スイッチング情報が含まれる場合、前記リアルタイム状態を前記第１の状態から第２の状態にスイッチングされるように構成される。
【００６０】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００６１】
図８を参照すると、図８は、一例示的な実施例に係る端末側の他の一つの端末スクリーンの状態を制御する装置を示すブロック図であり、本実施例は前述した図７に示すような実施例に加え、前記装置は、抽出ユニット７５及び処理ユニット７６をさらに備える。
【００６２】
ここで、抽出ユニット７５は、前記第２の電磁信号に含まれる身分情報を抽出し、前記身分情報を検証するように構成される。
【００６３】
処理ユニット７６は、検証に成功すると、前記第２の電磁信号が前記関連するウェアラブル機器からのものであると判定し、検証に成功しなかった場合、前記第２の電磁信号を廃棄するように構成される。
【００６４】
図９は、一例示的な実施例に係るウェアラブル側の端末スクリーンの状態を制御する装置を示すブロック図である。図９を参照すると、前記装置は、受信ユニット９１、生成ユニット９２、及び送信ユニット９３を備える。
【００６５】
ここで、受信ユニット９１は、ウェアラブル機器内の第２の人体通信ユニットが前記ウェアラブル機器の表面の金属構造体を介して、端末内の第１の人体通信ユニットが前記端末表面の金属構造体に送信する第１の電磁信号を受信するように構成される。
【００６６】
生成ユニット９２は、前記第１の電磁信号が相応する端末スクリーンのリアルタイム状態を第１の状態であると示す場合、前記端末スクリーンに対する状態スイッチング情報を含む第２の電磁信号を生成するように構成される。
【００６７】
送信ユニット９３は、前記第２の人体通信ユニットを介して前記ウェアラブル機器の表面の金属構造体に前記第２の電磁信号を送信し、前記第２の電磁信号がユーザーの皮膚を介して前記第１の人体通信ユニットに送信されるように構成される。
【００６８】
好ましくは、前記第１の状態がロック状態であり、且つ前記第２の状態がロック解除状態である場合、前記状態スイッチング情報には、ロック解除パスワード及び前記端末に前記リアルタイム状態を第１の状態から第２の状態にスイッチングするように通知する第１の識別子情報が含まれ、
又は、前記第１の状態がロック解除状態であり、且つ前記第２の状態がロック状態である場合、前記状態スイッチング情報には、前記端末に前記リアルタイム状態を第２の状態から第１の状態にスイッチングするように通知する第２の識別子情報が含まれる。
【００６９】
好ましくは、前記第２の電磁信号は、前記ウェアラブル機器に対応する身分情報を含む。
【００７０】
前記実施例に係る装置の場合、装置中のそれぞれのモジュールが操作を実行する具体的な方法につき、関連する前記方法の実施例においてすでに詳細に記述したので、ここで説明を省略する。
【００７１】
装置に係る実施例の場合、基本的に方法に係る実施例に対応するため、関連する部分は、方法に係る実施例の部分を参照すればよい。以上述べた装置の実施例は、単に例示的なものであり、特に、分離部材として説明されるユニットは、物理的に隔離されるものであってもよく、又は隔離されていないものであってもよい。ユニットとして表示される部材は、物理ユニットであってもよく、又は物理ユニットではなくてもよい。また、同一の部位に位置してもよく、又は複数のネットワークユニットにそれぞれ分布されてもよい。実際の需要に応じて、その中の一部又は全部のモジュールを選択して、本発明の技術的案の目的を達成することができる。本分野の当業者が創造的な労働をしない前提で理解して実施することができる。
【００７２】
相応的に、本発明は、端末側の端末スクリーンの状態を制御する装置をさらに提供し、前記装置は、プロセッサーと、プロセッサーにより実行可能な命令を記憶するメモリとを備え、前記プロセッサーは、前記端末スクリーンのリアルタイム状態を第１の状態として確定し、前記第１の状態に対応する第１の電磁信号を生成し、前記電子機器内の第１の人体通信ユニットを介して前記電子機器の表面の金属構造体に前記第１の電磁信号を送信することにより、前記第１の電磁信号がユーザーの皮膚を介して送信され、前記第１の人体通信ユニットは前記金属構造体を介して、関連するウェアラブル機器が前記第１の電磁信号によって返信される第２の電磁信号を受信し、前記第２の電磁信号に前記スクリーンに対する状態スイッチング情報が含まれる場合、前記リアルタイム状態を第１の状態から第２の状態にスイッチングするように構成される。
【００７３】
相応的に、本発明は、メモリ及び少なくとも一つ以上のプログラムを備える端末を提供し、ここで、少なくとも一つ以上のプログラムはメモリに保存され、少なくとも一つ以上のプロセッサーを介して、以下のような操作を実行するための命令を含む前記少なくとも一つ以上のプログラムを実行する。即ち、前記操作は、端末スクリーンのリアルタイム状態を第１の状態として確定するステップと、前記第１の状態に対応する第１の電磁信号を生成し、前記端末内の第１の人体通信ユニットを介して前記端末表面の金属構造体に前記第１の電磁信号を送信し、前記第１の電磁信号がユーザーの皮膚を介して伝送されるステップと、前記第１の人体通信ユニットは前記金属構造体を介して、関連するウェアラブル機器が前記第１の電磁信号によって返される第２の電磁信号を受信するステップと、前記第２の電磁信号に前記端末スクリーンに対する状態スイッチング情報が含まれる場合、前記リアルタイム状態を前記第１の状態から第２の状態にスイッチングするステップとを含む。
【００７４】
相応的に、本発明は、ウェアラブル機器側の端末スクリーンの状態を制御する装置をさらに提供し、前記装置は、プロセッサーと、プロセッサーにより実行可能な命令を記憶するメモリとを備え、前記プロセッサーは、ウェアラブル機器内の第２の人体通信ユニットが前記ウェアラブル機器の表面の金属構造体を介して、端末から送信される第１の電磁信号を受信し、前記第１の電磁信号は前記端末内の第１の人体通信ユニットを介して前記端末表面の金属構造体に送信され、前記第１の電磁信号が相応する端末スクリーンのリアルタイム状態を第１の状態であると示す場合、前記端末スクリーンに対する状態スイッチング情報を含む第２の電磁信号を生成し、前記第２の人体通信ユニットを介して、接続される金属構造体に前記第２の電磁信号を送信し、前記第２の電磁信号はユーザーの皮膚を介して前記第１の人体通信ユニットに伝送される。
【００７５】
相応的に、本発明は、メモリ及び少なくとも一つ以上のプログラムを備えるウェアラブル機器をさらに提供し、ここで、少なくとも一つ以上のプログラムがメモリに記憶され、少なくとも一つ以上のプロセッサーを介して、以下のような操作を実行するための命令を含む前記少なくとも一つ以上のプログラムを実行する。即ち、前記操作は、ウェアラブル機器内の第２の人体通信ユニットが前記ウェアラブル機器の表面の金属構造体を介して、端末からの第１の電磁信号を受信し、前記第１の電磁信号は前記端末内の第１の人体通信ユニットを介して前記端末表面の金属構造体に送信するステップと、第１の電磁信号が相応する端末スクリーンのリアルタイム状態が第１の状態であると示す場合、前記端末スクリーンに対する状態スイッチング情報を含む第２の電磁信号を生成するステップと、前記第２の人体通信ユニットを介して、接続される金属構造体に前記第２の電磁信号を送信し、前記第２の電磁信号はユーザーの皮膚を介して前記第１の人体通信ユニットに送信されるステップとを含む。
【００７６】
図１０は、一例示的な実施例に係る端末側の端末スクリーンの状態を制御する装置１０００のブロック図である。例えば、装置１０００は、携帯電話、コンピュータ、デジタル放送端末器、メッセージ送受信装置、ゲームコンソール、タブレット装置、医療設備、フィットネス装置、ＰＤＡなどであってもよい。
【００７７】
図１０を参照すると、装置１０００は、処理ユニット１００２、メモリ１００４、電源ユニット１００６、マルチメディアユニット１００８、オーディオユニット１０１０、入出力（Ｉ／Ｏ）インターフェース１０１２、センサーユニット１０１４、及び通信ユニット１０１６からなる群から選ばれる少なくとも１つを備えてもよい。
【００７８】
処理ユニット１００２は、一般的には、装置１０００の全体の操作、例えば、表示、電話呼び出し、データ通信、カメラ操作、及び記録操作に関連する操作を制御する。処理ユニット１００２は、上述した方法におけるステップの一部又は全部を実現できるように、命令を実行する少なくとも１つのプロセッサー１０２０を備えてもよい。また、処理ユニット１００２は、他のユニットとのインタラクションを便利にさせるように、少なくとも１つのモジュールを備えてもよい。例えば、処理ユニット１００２は、マルチメディアユニット１００８との相互作用を容易にするように、マルチメディアモジュールを備えてもよい。
【００７９】
メモリ１００４は、装置１０００での操作をサポートするように、各種のデータを記憶するように配置される。これらのデータは、例えば、装置１０００で何れのアプリケーション又は方法を操作するための命令、連絡先データ、電話帳データ、メッセージ、画像、ビデオ等を備える。メモリ１００４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【００８０】
電源ユニット１００６は、装置１０００の各種ユニットに電力を供給するためのものであり、電源管理システム、１つ又は複数の電源、及び装置１０００のために電力を生成、管理及び分配することに関連する他のユニットを備えてもよい。
【００８１】
マルチメディアユニット１００８は、装置１０００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１００８は、フロントカメラ及びバックカメラ又はいずれか一方を有してもよい。装置１０００が、例えば、撮影モードやビデオモードのような操作モードにある時、フロントカメラ及びバックカメラ又はいずれか一方が外部のマルチメディアデータを受信できる。フロントカメラ及びバックカメラのそれぞれは、固定の光学レンズ系であってもよいし、焦点距離及び光学ズーム能力を有するものであってもよい。
【００８２】
オーディオユニット１０１０は、オーディオ信号を出力及び入力又はいずれかを行うように配置される。例えば、オーディオユニット１０１０は、マイクロフォン（ＭＩＣ）を有してもよい。装置１０００が、例えば、呼び出しモード、記録モード、又は音声認証モードのような操作モードにあるとき、マイクロフォンは、外部のオーディオ信号を受信するように配置される。受信したオーディオ信号は、メモリ１００４にさらに記憶されてもよいし、通信ユニット１０１６を介して送信されてもよい。一実施例では、オーディオユニット１０１０は、オーディオ信号を出力するためのスピーカをさらに備えてもよい。
【００８３】
Ｉ／Ｏインターフェース１０１２は、処理ユニット１００２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００８４】
センサーユニット１０１４は、装置１０００のために各方面の状態を評価する少なくとも１つのセンサーを備えてもよい。例えば、センサーユニット１０１４は、装置１０００のオン／オフ状態や、ユニットの相対的な位置を検出することができる。例えば、前記ユニットが装置１０００のディスプレイ及びキーパッドである。センサーユニット１０１４は、装置１０００又は装置１０００の１つのユニットの位置の変化、ユーザーが装置１０００に接触しているか否か、装置１０００の方向又は加速／減速、装置１０００の温度変化等を検出することができる。センサーユニット１０１４は、何れの物理的な接触もない場合に付近の物体を検出するように配置される近接センサーを有してもよい。センサーユニット１０１４は、イメージアプリケーションに用いるための光センサー、例えば、ＣＭＯＳ又はＣＣＤ画像センサーを有してもよい。一実施例では、該センサーユニット１０１４は、加速度センサー、ジャイロスコープセンサー、磁気センサー、圧力センサー又は温度センサーをさらに備えてもよい。
【００８５】
通信ユニット１０１６は、装置１０００と他の設備の間の無線又は有線通信を便利にさせるように配置される。装置１０００は、通信標準に基づく無線ネットワーク、例えば、ＷｉＦｉ（登録商標）や、２Ｇや、３Ｇ、又はこれらの組み合わせにアクセスできる。１つの例示的な実施例では、通信ユニット１０１６は、放送チャンネルを介して外部の放送管理システムからの放送信号又は放送に関する情報を受信する。１つの例示的な実施例では、前記通信ユニット１０１６は、近距離通信を促進するために近距離無線通信（ＮＦＣ）モジュールをさらに備えてもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００８６】
例示的な実施例では、装置１０００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【００８７】
例示的な実施例では、命令を有する非一時的（ｎｏｎ‐ｔｒａｎｓｉｔｏｒｙ）コンピュータ可読記録媒体、例えば、命令を有するメモリ１００４をさらに提供する。前記命令は、装置１０００のプロセッサー１０２０により実行されて前記方法を実現する。例えば、前記非一時的コンピュータ可読記録媒体、ＲＯＭ、ＲＡＭ、ＣＤ−ＲＯＭ（登録商標）、磁気テープ、フロッピーディスク（登録商標）、光データ記憶デバイス等であってもよい。
【００８８】
図１１は、一例示的な実施例に係る端末側の端末スクリーンの状態を制御する装置１１００のブロック図である。例えば、装置１１００は、携帯電話、コンピュータ、デジタル放送端末器、メッセージ送受信装置、ゲームコンソール、タブレット装置、医療設備、フィットネス装置、ＰＤＡなどであってもよい。
【００８９】
図１１を参照すると、装置１１００は、処理ユニット１１０２、メモリ１１０４、電源ユニット１１０６、マルチメディアユニット１１０８、オーディオユニット１１１０、入出力（Ｉ／Ｏ）インターフェース１１１２、センサーユニット１１１４、及び通信ユニット１１１６からなる群から選ばれる少なくとも１つを備えてもよい。
【００９０】
処理ユニット１１０２は、一般的には、装置１１００の全体の操作、例えば、表示、電話呼び出し、データ通信、カメラ操作、及び記録操作に関連する操作を制御する。処理ユニット１１０２は、上述した方法におけるステップの一部又は全部を実現できるように、命令を実行する少なくとも１つのプロセッサー１１２０を備えてもよい。また、処理ユニット１１０２は、他のユニットとのインタラクションを便利にさせるように、少なくとも１つのモジュールを備えてもよい。例えば、処理ユニット１１０２は、マルチメディアユニット１１０８との相互作用を容易にするように、マルチメディアモジュールを備えてもよい。
【００９１】
メモリ１１０４は、装置１１００での操作をサポートするように、各種のデータを記憶するように配置される。これらのデータは、例えば、装置１１００で何れのアプリケーション又は方法を操作するための命令、連絡先データ、電話帳データ、メッセージ、画像、ビデオ等を備える。メモリ１１０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【００９２】
電源ユニット１１０６は、装置１１００の各種ユニットに電力を供給するためのものであり、電源管理システム、１つ又は複数の電源、及び装置１１００のために電力を生成、管理及び分配することに関連する他のユニットを備えてもよい。
【００９３】
マルチメディアユニット１１０８は、装置１１００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１１０８は、フロントカメラ及びはバックカメラ又はいずれか一方を有してもよい。装置１１００が、例えば、撮影モードやビデオモードのような操作モードにある時、フロントカメラ及びはバックカメラ又はいずれか一方が外部のマルチメディアデータを受信できる。フロントカメラ及びバックカメラのそれぞれは、固定の光学レンズ系であってもよいし、焦点距離及び光学ズーム能力を有するものであってもよい。
【００９４】
オーディオユニット１１１０は、オーディオ信号を出力及びは入力又はいずれかを行うように配置される。例えば、オーディオユニット１１１０は、マイクロフォン（ＭＩＣ）を有してもよい。装置１１００が、例えば、呼び出しモード、記録モード、又は音声認証モードのような操作モードにあるとき、マイクロフォンは、外部のオーディオ信号を受信するように配置される。受信したオーディオ信号は、メモリ１１０４にさらに記憶されてもよいし、通信ユニット１１１６を介して送信されてもよい。一実施例では、オーディオユニット１１１０は、オーディオ信号を出力するためのスピーカをさらに備えてもよい。
【００９５】
Ｉ／Ｏインターフェース１１１２は、処理ユニット１１０２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００９６】
センサーユニット１１１４は、装置１１００のために各方面の状態を評価する少なくとも１つのセンサーを備えてもよい。例えば、センサーユニット１１１４は、装置１１００のオン／オフ状態や、ユニットの相対的な位置を検出することができる。例えば、前記ユニットが装置１１００のディスプレイ及びキーパッドである。センサーユニット１１１４は、装置１１００又は装置１１００の１つのユニットの位置の変化や、ユーザーが装置１１００に接触しているか否かや、装置１１００の方向又は加速／減速や、装置１１００の温度変化を検出することができる。センサーユニット１１１４は、何れの物理的な接触もない場合に付近の物体を検出するように配置される近接センサーを有してもよい。センサーユニット１１１４は、イメージアプリケーションに用いるための光センサー、例えば、ＣＭＯＳ又はＣＣＤ画像センサーを有してもよい。一実施例では、該センサーユニット１１１４は、加速度センサー、ジャイロスコープセンサー、磁気センサー、圧力センサー又は温度センサーをさらに備えてもよい。
【００９７】
通信ユニット１１１６は、装置１１００と他の設備の間の無線又は有線通信を便利にさせるように配置される。装置１１００は、通信標準に基づく無線ネットワーク、例えば、ＷｉＦｉ（登録商標）や、２Ｇや、３Ｇ、又はこれらの組み合わせにアクセスできる。１つの例示的な実施例では、通信ユニット１１１６は、放送チャンネルを介して外部の放送管理システムからの放送信号又は放送に関する情報を受信する。１つの例示的な実施例では、前記通信ユニット１１１６は、近距離通信を促進するために近距離無線通信（ＮＦＣ）モジュールをさらに備えてもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００９８】
例示的な実施例では、装置１１００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【００９９】
例示的な実施例では、命令を有する非一時的（ｎｏｎ‐ｔｒａｎｓｉｔｏｒｙ）コンピュータ可読記録媒体、例えば、命令を有するメモリ１１０４をさらに提供する。前記命令は、装置１１００のプロセッサー１１２０により実行されて前記方法を実現する。例えば、前記非一時的コンピュータ可読記録媒体、ＲＯＭ、ＲＡＭ、ＣＤ−ＲＯＭ（登録商標）、磁気テープ、フロッピーディスク（登録商標）、光データ記憶デバイス等であってもよい。
【０１００】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１０１】
本発明は、前記で記述され、図面で図示した特定の構成に限定されず、その範囲を離脱しない状況で、様々な修正や変更を実施してもよい。本発明の範囲は、添付される特許請求の範囲のみにより限定される。
【０１０２】
当該出願は、出願番号が２０１５１０１２６３３８．６であって、出願日が２０１５年３月２０日である中国特許出願を基礎として優先権を主張し、当該中国特許出願の内容全体は、本願発明に援用される。
【国際調査報告】
2017515434.tif 000014
2017515434.tif 000015
2017515434.tif 000016
2017515434.tif 000017